(57)【要約】本発明は、独立したビデオストリームとして別々に符号化された複数の空間的ピースに分割されたビデオを配信するためのビデオ配信方法に関する。例えば、ビデオのこのような分解は、MPEG-4規格を用いることにより得られることができる。本発明の配信方法は、−複数のビデオストリームを、1又は複数のユーザに、自由に異なった時間に送信するステップと、−少なくとも1つの他のビデオストリームを1又は複数のユーザに条件付きでオファーするステップと、−前記条件付きオファーを受諾したユーザに前記ミッシングビデオストリームを送信するステップとを有する。
2005517363.tif 000002
【特許請求の範囲】
【請求項１】
独立したビデオストリームとして符号化された複数の空間的ピースに分割されたビデオを配信するための方法において、
−複数のビデオストリームを、1又は複数のユーザに、自由に異なった時間に送信するステップと、
−ミッシングビデオストリームと呼ばれる少なくとも1つの他のビデオストリームを1又は複数のユーザに条件付きでオファーするステップと、
−前記条件付きオファーを受諾した1又は複数のユーザに前記ミッシングビデオストリームを送信するステップと、
を有する方法。
【請求項２】
請求項1に記載のビデオを配信するための方法において、更に、前記ミッシングビデオストリームのコピーを防止するための防止ステップを有することを特徴とする方法。
【請求項３】
請求項2に記載のビデオを配信するための方法において、ユーザは固有の識別子によって識別され、前記防止ステップは、
−前記条件付きオファーを受諾した前記ユーザの前記固有の識別子を回収するステップと、
−他の識別子によって識別されるユーザによる前記ミッシングビデオストリームの使用を防止するために、前記ミッシングビデオストリームを前記固有の識別子でマークするステップと、
を有する、ことを特徴とする方法。
【請求項４】
請求項1に記載のビデオを配信するための方法において、更に、ユーザによる前記条件付きオファーの受諾は、前記ユーザからの支払を含む、ことを特徴とする方法。
【請求項５】
請求項1に記載のビデオを配信するための方法において、前記配信はインターネット上で行われる、ことを特徴とする方法。
【請求項６】
独立したビデオストリームとして符号化された複数の空間的ピースに分割されたビデオを配信するためのサーバにおいて、
−複数のビデオストリームを、1又は複数のユーザに、自由に異なった時間に送信するための手段と、
−ミッシングビデオストリームと呼ばれる少なくとも1つの他のビデオストリームを1又は複数のユーザに条件付きでオファーするための手段と、
−前記条件付きオファーを受諾した1又は複数のユーザに前記ミッシングビデオストリームを送信するための手段と、
を有するサーバ。
【請求項７】
−独立したビデオストリームとして符号化された複数の空間的ピースに分割されたビデオを配信するためのサーバと、
−複数のユーザ端末装置と、
−伝送ネットワークと、
を少なくとも有する伝送システムにおいて、前記サーバは、
−複数のビデオストリームを、1又は複数のユーザ端末装置に、自由に異なった時間に送信するための手段と、
−ミッシングビデオストリームと呼ばれる少なくとも1つの他のビデオストリームを1又は複数のユーザ端末装置に条件付きでオファーするための手段と、
−前記条件付きオファーを受諾した1又は複数のユーザ端末装置に前記ミッシングビデオストリームを送信するための手段と、
を有する、システム。
【請求項８】
請求項7に記載の伝送システムにおいて、ユーザ端末装置による前記条件付きオファーの受諾は、前記ユーザ端末装置からの支払を含意し、前記伝送ネットワークは、更に、オンライン支払を実行するためのトランザクションセンタを有することを特徴とするシステム。
【請求項９】
プロセッサによって実行されたら請求項1乃至5の何れか1項に記載のビデオを配信する方法を実行するためのプログラム命令を有するコンピュータプログラム。
【請求項１０】
請求項1乃至5の何れか1項に記載の配信方法によって配信されるビデオ。
【発明の詳細な説明】
【技術分野】
【０００１】
本発明は、独立したビデオストリームとして符号化された複数の空間的ピース(spatial
pieces)に分割されたビデオを配信するための方法に関する。
【０００２】
本発明は、独立したビデオストリームとして符合化された複数の空間的ピースに分割されたビデオを配信するためのサーバにも関する。
【０００３】
本発明は、独立したビデオストリームとして符合化された複数の空間的ピースに分割されたビデオを配信するためのサーバと、複数のユーザ端末装置と、伝送ネットワークとを少なくとも有する伝送システムにも関する。
【０００４】
本発明は、マイクロプロセッサによって実行されたら上記のビデオを配信する方法を実行するためのプログラム命令を有するコンピュータプログラムにも関する。
【０００５】
本発明は、このような配信方法によって配信されるビデオにも関する。
【背景技術】
【０００６】
Koninklijke Philips Electronics N.V.による2000年10月26日公開の国際特許出願公開第WO00/64183号は、ビデオが、各ピースがMPEG-4規格によって別々に符合化された複数のピースに分割されるゲームを説明する。説明されたアプリケーションにおいて、ユーザは全てのピースを自由に使用することができるが、これはランダムな順序においてである。このゲームは、ビデオが再生される間ビデオのピースを再配列することにより構成されている。
【発明の開示】
【発明が解決しようとする課題】
【０００７】
本発明は、ビデオの、独立したビデオストリームとして別々に符合化される複数のピースへのこのような分解を用いる他のアプリケーションを提案する。
【課題を解決するための手段】
【０００８】
本発明は、特に、ビデオを配信するための方法を提案する。本発明によって配信されるビデオは、独立したビデオストリームとして符号化された複数の空間的ピースに分割される。そして、このようなビデオを配信するための提案された方法は、
−複数のビデオストリームを1又は複数のユーザに、自由に異なった時間に送信するステップと、
−ミッシングビデオストリームと呼ばれる少なくとも1つの他のビデオストリームを1又は複数のユーザに条件付きでオファーするステップと、
−前記条件付きオファーを受諾した1又は複数のユーザに前記ミッシングビデオストリームを送信するステップと、
を有する。
【０００９】
この配信方法は、ユーザの関心を引くために、時間と共にフリーなピースの配信を広げることにより構成されている。ユーザが新しいピースを受信するたびに、該ユーザは対象物についてより良く理解し、該ユーザの関心は次第に上昇する。このとき、1つ又は複数のミッシングピースに関する条件付きオファーが、ユーザに与えられる。ユーザの関心が次第に刺激されたので、該ユーザは、完全なビデオを得るために条件付きオファーを受諾する意欲が湧く。有利には、ミッシングビデオストリームは、最も重要なものである。
【００１０】
条件付きオファーは、例えばユーザからの支払を含意する販売のオファーである。このオファーは、ミッシングビデオストリームを受信することと引き替えに、広告を取るというオファーであってもよい(例えば目標を定めた広告(targeted advertising))。
【００１１】
国際特許出願公開第WO 01/78395号は、条件付きアクセスシステムを説明し、このシステムにおいては、ビデオはオブジェクトビデオストリーム及び残りのビデオストリームに分離され、前記残りのビデオストリームは自由にユーザに送信される一方で、前記オブジェクトビデオストリームを受信するためにはユーザは支払わなければならないことに注意されたい。このような条件付きアクセスシステムは、提案された対象に対して事前に関心を持っているユーザに対して、非常に効率的である。例えば、これは、スポーツイベントの条件付きアクセス再送に、非常に適している。
【００１２】
これに対し、本発明は、事前にはない興味を確立することを意図される。同じビデオのフリーなピースを繰り返し受信するユーザは、たとえ最初のうちはその対象に特定の関心を持っていなくても、対象に興味を持ち、良く知るようになり、最終的には、条件付きオファーを受諾する用意ができる。
【００１３】
有利な実施例において、配信方法は、更に、前記ミッシングビデオストリームのコピーを防止するための防止ステップを有する。例えば、ミッシングビデオストリームを、条件付きオファーを受け取ったユーザに固有である識別子でマークすることによって、コピー防止は達成される。
【００１４】
有利には、フリーなピースは、複製されることができ、1人のユーザから他のユーザに送信されることができる。このようにして、ユーザはビデオを拡散することに参加し、これらユーザのモチベーションは依然として増大される。
【発明を実施するための最良の形態】
【００１５】
本発明は、ここで、以下の図面を参照して更に説明される。
【００１６】
本発明は、例えばMPEG-4規格(ISO／IEC JTC1／SC29／WG11 N1909、1997年10月、Fribourg、スイス)を用いて複数のビデオストリームに符合化されたビデオに適用するビデオ配信方法を提案する。
【００１７】
MPEG-4規格を用いることにより、ビデオは複数の空間的ピースに分割されることができ、ビデオの各ピースは独立したビデオストリームとして符合化されることができる。第1の例において、画像面はパズルのように任意の形状に分割され、各形状にあるビデオは独立したビデオストリームとして符合化される。第2の例において、ビデオは複数のオブジェクト(例えばキャラクタ、オブジェクト、背景…)に分割され、各オブジェクトは独立したビデオストリームとして符合化される。この第2の例において、ピースの形状及び画像面におけるその位置は、時間と共に変化してもよい(例えば、動作が進行すると共に、キャラクタに対応するピースは画像面中で移動してもよく、その状態は変化してもよい)。
【００１８】
図1は、本発明による配信方法の例の概略図を与える。図1において、ビデオサーバ2に記憶されるビデオ1は、
−自由に配信されることを意図される白で表されるN個のピースと、
−条件付きでユーザに提供されることを意図される黒で表される少なくとも1個のピースと、
の複数のピースに分割される。
【００１９】
図1において、N個のフリーなピースは、それぞれ3-1、…、3-i、…、3-Nで示される。そして、条件付きピースは、4で示される。
【００２０】
ステップS1で、N個のフリーなピースはユーザ又はユーザグループに異なった時間t1、…、ti、…tnに逐次配信される。宛て先のユーザ又はユーザグループ5-1、…、5-Nは、時間と共に変化してもよい。有利な実施例において、各ユーザは、受信したフリーなピースをいつでも他のいかなるユーザ又はユーザグループにも再送信することができる。このように、各ユーザは、フリーなピースを拡散させるのに参加することができる。図1において、他のユーザからフリーなピースを受信するユーザは、6-1、…、6-Pで示される。
【００２１】
ステップS2で、条件付きピース3に関するオファーが、1又は複数のユーザ又はユーザグループ7-1、…、7-Qに送信される。各ユーザは、オファーに答えるかどうか自由である。
【００２２】
ステップS3で、ユーザはオファーに答える。このような答えの受信に際し、ビデオサーバ2はユーザとのトランザクションTRを開始する。トランザクションTRが正常に完了されたら、ユーザがオファーを受諾したとみなされる。トランザクションTRが正常に完了されると、ステップS4でビデオサーバ2はユーザに条件付きピース4を送信する。
【００２３】
トランザクションTRは、どのような種類であってもよい。例えば、オファーが支払を条件とするならば、トランザクションTRは、金銭上の取引であり、これは、ユーザが引き落とされる先の口座の照会先を正常に送信したら、完了されたとみなされる。トランザクションTRはビデオサーバ2によって開始されるが、これは、第三者が関与してもよい。例えば、トランザクションTRが金銭上の取引であるとき、これには、金融取引センタが関与してもよい。図1において、このような第三者は、参照番号8として点線で表される。
【００２４】
有利には、ユーザによる更なる複製を回避するために、条件付きピースは、コピーを防止される。このような防止は、条件付きピースを、アドレスされたユーザに固有である識別子でマークし、前記条件付きピースをマークしている識別子とは異なる識別子のユーザ端末装置による条件付きピースの読取り及び／又は表示を防止することによって、達成することができる。
【００２５】
ステップS5で、条件付きピースをユーザに送信する前に、ビデオサーバ2は、ユーザの固有の識別子でこの条件付きピースをマークする。
【００２６】
例えば、このようなマーキングは、暗号化キーとしてユーザの固有の識別子を用いることによって条件付きピースを暗号化することにより構成されていてもよい。条件付きピースを用いることができる唯一のユーザ端末装置は、暗号化キーとして用いられる識別子についての知識を有するユーザ端末装置である。
【００２７】
例えば、ユーザ端末装置がパーソナルコンピュータである場合、この識別子は、有利には、ユーザ端末装置のネットワーク基板に記憶されるMAC(中間アクセス層)アドレスである。そして、ユーザ端末装置が移動電話であると、この識別子は有利には移動電話のIMEI(国際携帯電話識別番号)である。IMEIは、移動電話の加入者識別モジュールに記憶されている。MACアドレス及びIMEIは、両方とも、ビデオサーバ側及びユーザ側で知られているという利点がある。
【００２８】
図1において説明される実施例において、コピー防止は、ビデオサーバの側での伝送の前に条件付きピースをマークすることによって達成される。代替的に、コピー防止は、受信の後、ユーザ端末の側で条件付きピースを自動的にマークすることによって更に達成されることができる。
【００２９】
図1において説明される実施例において、条件付きオファーは、ビデオサーバからユーザに送信される。ここで表されない代替実施例において、ユーザはオファーを求めなければならない。例えば、該ユーザは、オファーが利用可能であるウェブサイトに接続しなければならない。有利には、ユーザ側でリンクが表示され、ユーザが条件付きピースを得たいときには、該ユーザは、直接ウェブサイトに行くためには、リンクを選択するだけでよい。有利には、ウェブサイトは、ユーザが興味のある1つ又は複数のフリーなピースをダウンロードすることができるように、フリーなピースをユーザが利用可能にするためにも用いられる。
【００３０】
図1において説明される実施例は、ビデオサーバとユーザとの間のトランザクションTRを有する。このようなトランザクションは、任意的である。例えば、オファーが、広告を取ることを条件とするならば、トランザクションはない。ユーザが条件付きピースを見る前に広告を見なければならないように、条件付きピースと共に広告が送信される。
【００３１】
1つ又は複数の利用可能なビデオピースをユーザ側で読み取る／表示するために、特定のプログラムが必要である。例えば、この特定のプログラムは、ビデオの第1のフリーなピースと共に送信される。オファーが、広告を取ることを条件とするならば、この特定のプログラムは、更に、条件付きピースが表示されるたびに広告を自動的に表示するための命令も有する。条件付きピースのコピー防止をするために暗号化が用いられると、この特定のプログラムは、表示の前に条件付きピースを解読するための命令を有する。暗号化がユーザ側で行われると、この特定のプログラムは、更に、条件付きピースの受信の後、暗号化動作を自動的に開始するための命令も有する。
【００３２】
図2は、本発明による伝送ネットワークの概略図である。図2に表される伝送ネットワークは、ビデオサーバ2、ユーザ端末装置5-1、5-2及び5-3、トランザクションセンタ8、コンテンツプロバイダ10並びに移動アクセスポイント11を有する。移動アクセスポイント11は、特に移動ラジオネットワークに向けたラジオインターフェース13及びインターネットネットワーク12に向けたインターネットインターフェース14を有する。
【００３３】
ビデオサーバ2、ユーザ端末装置5-1及び5-2、トランザクションセンタ8並びにコンテンツプロバイダ10は、特に、それぞれメモリ手段21、22、23、24及び25、それぞれ処理手段31、32、33、34及び35、並びに、それぞれ41、42、43、44及び45で示されるインターネットネットワーク12に向けたインターネットインターフェースを有する。ユーザ端末装置5-1及び5-2は、例えばパーソナルコンピュータ又は高性能テレビジョンシステムである。ユーザ端末5-3は、ワイヤレス装置である。これは、特に、加入者識別モジュール50、無線送信／受信回路51、メモリ手段52及び処理手段53を有する。移動装置5-3は、インターネットにアクセスするために、無線リンクを介して移動アクセスポイント11と通信してもよい。
【００３４】
ビデオサーバ2は、コンテンツプロバイダ10からビデオ1を受信してもよい。ビデオ1は、メモリ手段21で有利に記憶される。また、処理手段22によって実行されたら本発明による配信方法を実現するプログラム命令を有するコンピュータプログラムが、メモリ手段21で記憶される。
【００３５】
受信されたビデオピースを読み取る／表示することを意図される受信されたビデオピース及び特定のプログラムは、ユーザ端末装置のメモリ手段で記憶される。
【図面の簡単な説明】
【００３６】
【図１】本発明による配信方法のステップを説明する図である。
【図２】本発明による伝送システムの例である。
【図１】
2005517363.tif 000003
【図２】
2005517363.tif 000004
【国際調査報告】
2005517363.tif 000005
2005517363.tif 000006
2005517363.tif 000007